(57)【要約】【課題】構造を簡単にできて部品点数も少なくでき、容易に軽量化できる中留、時計バンドおよび時計を提供する。【解決手段】中留１０は、ロックピン２７が固定された下側保持部材２０と、下側保持部材２０に回動自在に連結された上側保持部材３０と、下側保持部材２０に対して引き上げ方向および引き下げ方向に移動可能に取り付けられて第１バンドを案内する引き上げ部材４０と、下側保持部材２０に対してロック位置およびロック解除位置間で回動可能に取り付けられたロック部材５０と、メインカバー６０とを備える。ロック部材５０は、ロック位置に回動されると引き上げ部材４０を下側保持部材２０側に引き上げて第１バンド３Ａを挟んで位置決め固定する。メインカバー６０は、上側保持部材３０と下側保持部材２０とが回動により重なった状態でロックピン２７に係合するロック機構を備え、上側保持部材３０と第２バンド３Ｂとの間に回動可能に連結される。【選択図】図６
2017131624.tif 000002
【特許請求の範囲】
【請求項１】
第１バンドおよび第２バンドを連結する中留であって、
ロックピンが固定された下側保持部材と、
前記下側保持部材に回動自在に連結された上側保持部材と、
前記下側保持部材に対して、前記下側保持部材に近づく引き上げ方向および前記下側保持部材から離れる引き下げ方向に、移動可能に取り付けられて前記第１バンドを案内する引き上げ部材と、
前記下側保持部材に対してロック位置およびロック解除位置間で回動可能に取り付けられ、ロック位置に回動されることで前記引き上げ部材を前記下側保持部材側に引き上げて前記引き上げ部材と前記下側保持部材とで前記第１バンドを挟んで位置決め固定するロック部材と、
前記上側保持部材と前記下側保持部材とが回動により重なった状態で前記ロックピンに係合するロック機構を備え、前記上側保持部材と第２バンドとの間に回動可能に連結されたメインカバーと、
を有することを特徴とする中留。
【請求項２】
請求項１に記載の中留において、
前記下側保持部材は、下板部と、一対の側板部とを備え、前記側板部には前記引き上げ方向に沿って延長されたガイド溝がそれぞれ形成され、
前記引き上げ部材は、前記下板部に対向する底板部と、前記一対の側板部に沿って配置される一対のガイド部と、前記各ガイド溝を挿通して前記一対のガイド部に取り付けられたガイドピンとを備え、
前記ロック部材は、前記ガイドピンに回動自在に支持される操作部と、前記操作部が前記ロック位置に回動されると前記下板部に当接して前記引き上げ部材を前記引き上げ方向に引き上げる押圧部とを備え、前記操作部が前記ロック解除位置に回動されると、前記押圧部は前記下板部から離れて前記引き上げ部材を前記引き下げ方向に移動可能に構成される
ことを特徴とする中留。
【請求項３】
請求項２に記載の中留において、
前記第１バンドは、複数のバンド駒を連結して構成され、
前記引き上げ部材の底板部は、前記下板部に向かって突出する位置決め突起が形成され、
前記ロック部材をロック位置に回動して、前記引き上げ部材と前記下側保持部材とで前記第１バンドを挟んだ際に、前記位置決め突起は前記バンド駒の間に配置される
ことを特徴とする中留。
【請求項４】
請求項２または請求項３に記載の中留において、
前記引き上げ部材の一対のガイド部は、前記側板部に向かって突出する案内突起が形成され、
前記引き上げ部材は、前記案内突起が前記ガイド溝で案内されて、前記引き上げ方向および引き下げ方向に移動する
ことを特徴とする中留。
【請求項５】
請求項１から請求項４のいずれか一項に記載の中留において、
前記下側保持部材は貫通穴を有し、
前記ロック部材は、前記ロック位置に回動された際に、前記下側保持部材に重なって前記貫通穴の一部を覆う
ことを特徴とする中留。
【請求項６】
請求項１から請求項５のいずれか一項に記載の中留において、
前記下側保持部材は貫通穴を有し、
前記ロック部材は、前記ロック位置に回動された際に、前記貫通穴の一部と重なる突起部を有し、
前記上側保持部材は、前記下側保持部材に対向する面に形成された凹部を有し、
前記下側保持部材および前記上側保持部材が回動により重なった際に、前記突起部は前記凹部に配置される
ことを特徴とする中留。
【請求項７】
請求項１から請求項６のいずれか一項に記載の中留と、
前記中留の前記下側保持部材および前記引き上げ部材で位置決め固定される第１バンドと、
前記メインカバーに連結される第２バンドと、
を備えることを特徴とする時計バンド。
【請求項８】
請求項７に記載の時計バンドを備えることを特徴とする時計。
【発明の詳細な説明】
【技術分野】
【０００１】
時計バンドや装飾具用バンドなどのバンド用の中留、この中留を用いた時計バンドおよびこの時計バンドを備える時計に関する。
【背景技術】
【０００２】
腕時計バンドやブレスレット等の帯状装身具の中留として、三つ折れ式の中留が知られている（例えば特許文献１参照）。
この三つ折れ式の中留は、本体部と折り畳み部とを備える。本体部は、枠体と、押さえ板と、錠止機構と、表カバーとを備える。枠体は、底板および一対の側壁を備える。押さえ板は、枠体の底板に対してバンド厚さ方向に移動可能に設けられる。表カバーは、錠止機構に係合するフック部を有する。
押さえ板は、バネ板と押圧板とを重ねて構成され、バネ板には湾曲されたバネ部が形成されている。前記フック部を錠止機構に係合した際に、フック部は前記バネ部を押圧する。
錠止機構は、一対のプッシュボタンと、ブッシュボタンを付勢する一対のスプリングと、プッシュボタンおよびスプリングを収納するガイドハウジングとを備える。ガイドハウジングは、枠体の側壁に固定される。
【０００３】
折り畳み部は、中板および下板で構成される。下板の端部は、前記枠体に回動自在に連結され、前記端部には押圧突起が設けられている。ユーザーが下板を枠体から離れる方向に回転すると、押圧突起の先端が押さえ板から離れ、押さえ板が開放される。このため、バンドを枠体の底板と押さえ板との間に差し込み、バンドに対する本体部の位置を調整できる。
ユーザーが下板を枠体に近づく方向に回転すると、前記押圧突起の先端が押さえ板を押圧し、押さえ板およびバンドを底板側に押圧するので、枠体がバンドに固定される。この際、押圧突起の側面部がガイドハウジングに当接し、下枠がそれ以上回転しないように止めている。
【０００４】
さらに、ユーザーは中板を下板側に折り畳み、中板のバネ棒を枠体の側壁に係合する。これにより、中板および下板を枠体に係合させることができる。中板には、他方のバンドが連結され、さらに表カバーが回動自在に連結されている。表カバーのフック部は、ガイドハウジングの挿入孔に挿入され、プッシュボタンの係合突起で係止されて錠止めされる。この際、フック部がバネ部を介して押さえ板を押圧し、押さえ板をバンドに圧接する。
これにより、ユーザーは、バンドに対する本体部の取付位置を調節でき、バンドの有効長さを調節できる。
【先行技術文献】
【特許文献】
【０００５】
【特許文献１】特開２０００−２４５５１２号公報
【発明の概要】
【発明が解決しようとする課題】
【０００６】
しかしながら、前記中留では、本体部に、バンドの有効長さを調整する機構と、中留を施錠、解錠する機構とを設ける必要があり、本体部の構造が複雑となり、部品点数も多いため、重量も大きくなるという課題があった。
【０００７】
本発明の目的は、構造を簡単にできて部品点数も少なくでき、容易に軽量化できる中留、時計バンドおよび時計を提供することにある。
【課題を解決するための手段】
【０００８】
本発明は、第１バンドおよび第２バンドを連結する中留であって、ロックピンが固定された下側保持部材と、前記下側保持部材に回動自在に連結された上側保持部材と、前記下側保持部材に対して、前記下側保持部材に近づく引き上げ方向および前記下側保持部材から離れる引き下げ方向に、移動可能に取り付けられて前記第１バンドを案内する引き上げ部材と、前記下側保持部材に対してロック位置およびロック解除位置間で回動可能に取り付けられ、ロック位置に回動されることで前記引き上げ部材を前記下側保持部材側に引き上げて前記引き上げ部材と前記下側保持部材とで前記第１バンドを挟んで位置決め固定するロック部材と、前記上側保持部材と前記下側保持部材とが回動により重なった状態で前記ロックピンに係合するロック機構を備え、前記上側保持部材と第２バンドとの間に回動可能に連結されたメインカバーと、を有することを特徴とする。
【０００９】
本発明では、下側保持部材と、引き上げ部材と、ロック部材とで第１バンドに対して中留を位置調整可能に取り付ける機構を構成し、メインカバーに設けたロック機構と下側保持部材のロックピンとで、中留の施錠・解錠を行う機構を構成している。このため、各機構を１つの本体部にまとめる必要が無いため、中留の構造を簡単にできて部品点数を少なくできる。また、部品点数を少なくできるため、中留を容易に軽量化できる。
【００１０】
本発明の中留において、前記下側保持部材は、下板部と、一対の側板部とを備え、前記側板部には前記引き上げ方向に沿って延長されたガイド溝がそれぞれ形成され、前記引き上げ部材は、前記下板部に対向する底板部と、前記一対の側板部に沿って配置される一対のガイド部と、前記各ガイド溝を挿通して前記一対のガイド部に取り付けられたガイドピンとを備え、前記ロック部材は、前記ガイドピンに回動自在に支持される操作部と、前記操作部が前記ロック位置に回動されると前記下板部に当接して前記引き上げ部材を前記引き上げ方向に引き上げる押圧部とを備え、前記操作部が前記ロック解除位置に回動されると、前記押圧部は前記下板部から離れて前記引き上げ部材を前記引き下げ方向に移動可能に構成されることが好ましい。
【００１１】
本発明では、引き上げ部材の一対のガイド部間に、下側保持部材の一対の側板部を配置し、この側板部間にロック部材を配置している。そして、各ガイド部、各側板部のガイド溝およびロック部材にガイドピンを挿通することで、第１バンドを位置決め固定するための機構を構成できる。したがって、中留の部品点数を少なくでき、中留の製造作業も容易に行うことができる。
また、ロック部材に押圧部を形成し、ロック部材の操作部をロック位置まで回動して前記押圧部を下板部に当接させている。これにより、ガイドピンおよび引き上げ部材を引き上げ方向に移動して、前記引き上げ部材と前記下側保持部材とで前記第１バンドを挟んで位置決め固定できる。したがって、ロック部材の構成も簡易にでき、製造コストも低減できる。さらに、ロック部材の操作部を、ロック位置およびロック解除位置間で回動するだけで、第１バンドを位置決め固定したり、位置調整可能にでき、時計用バンドの長さ調節操作を容易に行うことができる。したがって、腕時計のユーザーが自分で中留の位置を調整できるので、バンドの有効長さもユーザーの希望する長さに容易に調節できる。
【００１２】
本発明の中留において、前記第１バンドは、複数のバンド駒を連結して構成され、前記引き上げ部材の底板部は、前記下板部に向かって突出する位置決め突起が形成され、前記ロック部材をロック位置に回動して、前記引き上げ部材と前記下側保持部材とで前記第１バンドを挟んだ際に、前記位置決め突起は前記バンド駒の間に配置されることが好ましい。
【００１３】
底板部に位置決め突起が形成されていれば、前記引き上げ部材と前記下側保持部材とで前記第１バンドを挟んだ際に、前記位置決め突起がバンド駒間に配置される。このため、中留に対する第１バンドの移動を確実に制限できる。
【００１４】
本発明の中留において、前記引き上げ部材の一対のガイド部は、前記側板部に向かって突出する案内突起が形成され、前記引き上げ部材は、前記案内突起が前記ガイド溝で案内されて、前記引き上げ方向および引き下げ方向に移動することが好ましい。
【００１５】
ガイド部に案内突起が形成されていれば、前記側板部のガイド溝に前記案内突起を配置できる。このため、引き上げ部材は、ガイド溝に配置されるガイドピンおよび案内突起によって案内できる。したがって、ロック部材を回動させた際に、引き上げ部材が連動して回動することを防止でき、引き上げ部材を引き上げ方向および引き下げ方向にスムーズに移動できる。
【００１６】
本発明の中留において、前記下側保持部材は貫通穴を有し、前記ロック部材は、前記ロック位置に回動された際に、前記下側保持部材に重なって前記貫通穴の一部を覆うことが好ましい。
【００１７】
ロック部材は、ロック位置に回動された際に、下側保持部材に重なって配置されて前記貫通穴の一部を覆う。したがって、ロック部材の端部が貫通穴部分に露出する。このため、貫通穴部分に指や爪を差し込んで、ロック部材を引き起こしたり、前記貫通穴からピンなどを差し込んで突起部の裏面側を押すことでロック部材を回動することができ、ロック部材の回動操作を容易に行うことができる。
【００１８】
本発明の中留において、前記下側保持部材は貫通穴を有し、前記ロック部材は、前記ロック位置に回動された際に、前記貫通穴の一部と重なる突起部を有し、前記上側保持部材は、前記下側保持部材に対向する面に形成された凹部を有し、前記下側保持部材および前記上側保持部材が回動により重なった際に、前記突起部は前記凹部に配置されることが好ましい。
【００１９】
上側保持部材に凹部が形成されていれば、凹部を板材の補強用のビードとして用いることができ、上側保持部材の剛性を向上できる。また、上側保持部材に前記突起部が配置可能な凹部が形成されているので、前記下側保持部材および前記上側保持部材が回動により重なった際に、隙間が生じることを防止でき、中留の剛性を向上できる。
【００２０】
本発明の時計バンドは、前記中留と、前記中留の前記下側保持部材および前記引き上げ部材で位置決め固定される第１バンドと、前記メインカバーに連結される第２バンドと、を備えることを特徴とする。
また、本発明の時計は、前記時計バンドを備えることを特徴とする。
【００２１】
本発明の時計バンドおよび時計によれば、前述の中留を備えているので、前述のような効果を奏し、中留の構造を簡単にできて部品点数を少なくでき、中留を軽量化できるので、時計バンドも軽量化でき、様々な時計に適用できる。
【図面の簡単な説明】
【００２２】
【図１】本発明の一実施形態の時計バンドを用いた腕時計を示す正面図。
【図２】前記実施形態の時計バンドに用いられる中留を示す上面図。
【図３】前記実施形態の中留を示す側面図。
【図４】前記実施形態の中留を示す正面図。
【図５】前記実施形態の中留を示す斜視図。
【図６】前記実施形態のロック部材をロック解除位置に回動した状態を示す斜視図。
【図７】下側保持部材、引き上げ部材、ロック部材を示す分解斜視図。
【図８】ロック部材をロック解除位置に回動した状態を示す側面図。
【図９】ロック部材をロック解除位置からロック位置に回動する途中の状態を示す側面図。
【図１０】ロック部材をロック位置に回動した状態を示す側面図。
【発明を実施するための形態】
【００２３】
以下、本発明の一実施形態を図面に基づいて説明する。
腕時計１は、図１に示すように、外装ケース２と、時計用バンド３を備えている。外装ケース２の６時方向と１２時方向とには、カン２Ａがそれぞれ一体に設けられている。時計用バンド３は、カン２Ａにそれぞれ連結される６時側の第１バンド３Ａと、１２時側の第２バンド３Ｂとを有している。
第１バンド３Ａ、第２バンド３Ｂは、複数のバンド駒４を図示略のピンで連結して構成されている。
そして、各第１バンド３Ａ、第２バンド３Ｂの開放端部同士は、図２〜６に示す本発明の中留１０によって締結されている。
【００２４】
中留１０は、図５，６に示すように、下側保持部材２０と、上側保持部材３０と、引き上げ部材４０と、ロック部材５０と、メインカバー６０とを備えている。本実施形態では、下側保持部材２０および上側保持部材３０が、連結ピン１１によって回動自在に連結され、上側保持部材３０およびメインカバー６０が、図示略の連結ピンによって回動自在に連結されている。メインカバー６０は、第２バンド３Ｂに回動自在に連結され、下側保持部材２０は、引き上げ部材４０、ロック部材５０によって、第１バンド３Ａに対して位置調整可能に連結される。
【００２５】
なお、図２〜４に示すように、第１バンド３Ａおよび第２バンド３Ｂ間を連結する下側保持部材２０、上側保持部材３０、メインカバー６０が並ぶ方向をＸ方向とし、第１バンド３Ａ、第２バンド３Ｂのバンド幅方向に沿った方向をＹ方向とする。さらに、下側保持部材２０、上側保持部材３０、メインカバー６０が重なる方向をＺ方向とし、下側保持部材２０から上側保持部材３０に向かう方向をＺ１方向とし、逆方向をＺ２方向とする。
さらに、図３，５に示すように、下側保持部材２０および上側保持部材３０において、各バンド３Ａ、３Ｂに近い側を基端部２０Ａ、３０Ａとし、連結ピン１１によって互いに回動自在に連結される端部を先端部２０Ｂ、３０Ｂとする。そして、基端部２０Ａから先端部２０Ｂに向かう方向をＸ１方向、逆方向をＸ２方向とする。
【００２６】
［下側保持部材］
下側保持部材２０は、図５〜６にも示すように、基端部２０Ａから先端部２０Ｂに向かうＸ方向に沿って湾曲された下板部２１と、下板部２１の側面から立設された一対の側板部２２とを備えている。
側板部２２において、基端部２０Ａに近い位置には、図７に示すように、Ｚ１方向に沿って長穴とされたガイド溝２４が形成されている。
【００２７】
下板部２１には、下板部２１を貫通する貫通穴２５と、下板部２１から突設されたロックピン２７とが形成されている。
貫通穴２５は、下板部２１の先端部２０Ｂの近くに形成されている。貫通穴２５の開口は、下板部２１のＸ方向に沿った２本の直線部と、各直線部の基端部２０Ａ側の端部同士を連結する円弧部と、各直線部の先端部２０Ｂ側の端部同士を連結する円弧部とで略樽状に形成されている。ただし、貫通穴２５の開口形状は、円や楕円、矩形などでもよい。
ロックピン２７は、下板部２１の基端部２０Ａの近くに配置されている。ロックピン２７は、円錐形のヘッド部２７１と、軸部２７２とを備える。ヘッド部２７１は、先端は軸部２７２と同じ直径とされ、この先端から軸部２７２に向かうにしたがって直径が大きくなるように構成されている。このロックピン２７は、後述するように、メインカバー６０のロック機構に係合する。
【００２８】
［上側保持部材］
上側保持部材３０は、図５，６に示すように、前記下側保持部材２０の下板部２１と同様に湾曲された上板部３１と、上板部３１の基端部３０Ａ側の端部に立設された一対の連結板部３２とを備えている。
上板部３１の幅寸法は、下板部２１の側板部２２間の寸法に合わせて設定されている。
また、上板部３１には、ビード３５が加工されている。ビード３５は、上板部３１の長手方向に沿って長尺とされている。このビード３５は、プレス加工によって形成され、上板部３１において下板部２１側の面から見ると凹んだ凹部３５１とされ、メインカバー６０側の面から見ると突出した凸部３５２とされている。このビード３５は、上板部３１を補強するものであり、さらに、後述するロック部材５０の突起部５６が、前記凹部３５１に配置可能な幅寸法や長さ寸法に設定されている。上板部３１には、前記ロックピン２７が挿通される挿通穴３１１も形成されている。
これにより、ユーザーが上側保持部材３０を下側保持部材２０に重ねて折り畳んだ際に、上板部３１は下板部２１の側板部２２間に配置される。また、前記ロック部材５０の突起部５６は凹部３５１内に配置され、上板部３１は下板部２１に密着し、ロックピン２７は挿通穴３１１に挿通するように配置される。
一対の連結板部３２には、後述するように、メインカバー６０との連結用の連結ピン（図示略）が挿通される穴が形成されている。
【００２９】
［引き上げ部材］
引き上げ部材４０は、図７に示すように、底板部４１と、底板部４１の側面から立設された一対のガイド部４２とを備えて構成されている。
底板部４１は、下側保持部材２０の下板部２１に対向して配置される。底板部４１には、下板部２１側の面から突出する２つの位置決め突起４１１が、バンド幅方向（Ｙ方向）に離れて形成されている。位置決め突起４１１は、第１バンド３Ａのバンド駒４間の隙間に配置され、第１バンド３Ａに対する引き上げ部材４０の取り付け位置を、バンド駒４の単位で調整するものである。
【００３０】
一対のガイド部４２は、下板部２１の一対の側板部２２の外側にそれぞれ配置される。各ガイド部４２の側板部２２側の面には、側板部２２側に突出する案内突起４２１が形成されている。また、ガイド部４２には、ガイドピン１２が取り付けられる保持孔４２２が形成されている。案内突起４２１は、ガイド溝２４内に配置され、ガイドピン１２はガイド溝２４内に挿通される。
ガイド溝２４は、Ｚ１方向に沿って長穴とされているため、ガイドピン１２および案内突起４２１も、Ｚ１方向に沿って移動可能である。したがって、引き上げ部材４０は、底板部４１が下板部２１に近づくＺ１方向（以下、引き上げ方向とも言う）と、下板部２１から離れるＺ２方向（Ｚ１方向と反対側の方向であり、以下、引き下げ方向とも言う）に移動可能に、下側保持部材２０に取り付けられている。
【００３１】
［ロック部材］
ロック部材５０は、図７に示すように、操作部である板部５１と、一対の側壁部５２と、押圧部５３（図８参照）と、基端側カバー部５４と、表面側カバー部５５とを備えて構成されている。
一対の側壁部５２は、板部５１の側面から立設されている。押圧部５３は、板部５１の端部から屈曲されて形成されている。基端側カバー部５４は押圧部５３から連続し、表面側カバー部５５は基端側カバー部５４から連続して形成されている。
側壁部５２には、前記ガイドピン１２が挿通される穴５２１が形成されている。このため、ロック部材５０は、下側保持部材２０に対してガイドピン１２を介して回動自在に取り付けられている。
板部５１には、ロックピン２７が挿通可能な挿通穴５１１が形成されている。ロック部材５０は、板部５１が前記下板部２１に密着する状態まで回動可能に構成されている。図５に示すように、下板部２１に板部５１が密着する状態が、ロック部材５０のロック位置となる。
板部５１において、ガイドピン１２で回動される基端部とは反対側の先端部には、突起部５６が一体に形成されている。突起部５６は、板部５１よりも幅寸法が小さくされ、平面形状は略樽状とされている。突起部５６は、板部５１から段部を介して連続し、Ｚ１方向では板部５１よりも上側保持部材３０側に配置されている。突起部５６は、Ｘ１方向では、板部５１よりも突出している。
板部５１の幅寸法は、側板部２２間の寸法に応じて設定されている。また、ロック部材５０をロック位置に回動し、板部５１を下板部２１に当接する位置に回動した際に、板部５１の先端側に設けられた突起部５６は、前記貫通穴２５に重なるように設定されている。これにより、前記貫通穴２５に指や爪を入れたり、前記貫通穴２５からピンなどを差し込んで突起部５６の裏面側を押すことで、ロック位置にある突起部５６を引き起こすことができ、容易に板部５１を回動できる。
【００３２】
ロック部材５０をロック位置に移動した場合、基端側カバー部５４は、一対の側板部２２間の基端部２０Ａ側の隙間部分を隠す。また、表面側カバー部５５は、一対の側板部２２間の上端部側の隙間部分を隠す。これにより、基端側カバー部５４、表面側カバー部５５は、前記ガイドピン１２も隠すことができる。
【００３３】
ロック部材５０において、図７〜１０に示すように、穴５２１（ガイドピン１２）から押圧部５３までの長さ寸法は、穴５２１から基端側カバー部５４までの長さ寸法よりも長く設定されている。このため、図８に示すように、ロック部材５０を引き起こして下板部２１から離れる方向（Ａ１方向）に回動した状態では、基端側カバー部５４が下板部２１に当接する位置まで、ロック部材５０および引き上げ部材４０を引き下げ方向（Ｚ２方向）に移動できる。このため、引き上げ部材４０の底板部４１と、下板部２１との間の寸法は、バンド駒４の厚さ寸法よりも大きくなる。したがって、底板部４１および下板部２１間に挿通される第１バンド３Ａは、Ｘ１方向およびＸ２方向に移動できる。
【００３４】
一方、図９に示すように、ロック部材５０を下板部２１側（Ａ２方向）に回動して押し倒すと、押圧部５３が下板部２１に当接する。このため、ガイド溝２４内に挿通されるガイドピン１２は、下板部２１から離れるＺ１方向に移動し、ガイドピン１２が取り付けられた引き上げ部材４０もＺ１方向（引き上げ方向）に移動する。このため、引き上げ部材４０の底板部４１は下板部２１に近づき、引き上げ部材４０の底板部４１と下板部２１との間の寸法は、バンド駒４の厚さ寸法と同程度となる。この際、底板部４１の位置決め突起４１１は各バンド駒４間に入り、第１バンド３Ａは、底板部４１および下板部２１間で、Ｘ１方向およびＸ２方向に移動不能に取り付けられる。すなわち、第１バンド３Ａに対する下側保持部材２０の取付位置が決められる。この状態は、図１０に示すように、ロック部材５０をロック位置まで回動した場合も維持される。
【００３５】
［メインカバー］
メインカバー６０は、図５に示すように、プレート６１と、カバー６２とでボックス状に形成される。そして、図２に示すように、メインカバー６０の内部にはロック機構７０が収納されている。プレート６１には、図５，８に示すように、一対の支持部６１１が折り曲げられて形成され、支持部６１１には、第２バンド３Ｂとの連結に用いられるバネ棒が挿通される貫通孔が形成されている。また、プレート６１は、図示を略すが、前記連結板部３２が配置される溝部と、溝部の両側に折り曲げられて形成された支持部とを備える。前記連結板部３２には、上側保持部材３０との連結用の連結ピンが挿通され、連結ピンの両端は前記支持部によって移動が規制されて抜け止めされている。これらの連結板部３２、支持部、連結ピンは、カバー６２内に収納されている。
プレート６１の平面中央部には、図８に示すように、前記ロックピン２７が挿通される開口６１２が形成されている。
【００３６】
カバー６２は、図２，３に示すように、略矩形状の天面６２１と、天面６２１の周囲に一体的に形成される壁部６２２とを備える。カバー６２の天面６２１は、中留１０の下側保持部材２０、上側保持部材３０を折りたたんだ際に、第１バンド３Ａ、第２バンド３Ｂ間に配置されて外部から視認可能となる。
カバー６２において、バンド幅方向（Ｙ方向）に対向する２つの壁部６２２には、切欠６２３が形成され、ロック機構７０を構成するスライド部材７１の操作部７１１が突出している。
【００３７】
ロック機構７０は、図２に示すように、一対のスライド部材７１と、スライド部材７１を付勢するコイルばね７２とを備えている。
スライド部材７１は、同じ形状の部材をＹ方向に対向させて設けられている。これらのスライド部材７１は、Ｙ方向の外側端部に形成される操作部７１１と、下側保持部材２０のロックピン２７を係止する係止部７１２とを備えて構成されている。
操作部７１１は、前記切欠６２３から外側に向かって突出する。腕時計のユーザーは、操作部７１１を操作して、スライド部材７１をスライド移動できる。
【００３８】
係止部７１２は、全体として平面形状が略Ｌ字形に形成されている。一対の係止部７１２は、互い違いに配置され、Ｙ方向の略中央で対向配置されている。スライド部材７１を移動させると、係止部７１２はスライド動作に伴って互いに近接、離間する。また、一対のスライド部材７１の各係止部７１２は、互いに対向する面が傾斜面とされている。
ここで、ユーザーが下側保持部材２０、上側保持部材３０を折り畳み、メインカバー６０を下側保持部材２０、上側保持部材３０側に押し込むと、ロックピン２７がメインカバー６０の開口６１２から各係止部７１２間に差し込まれる。すると、ロックピン２７のヘッド部２７１の傾斜面が、前記係止部７１２の傾斜面に当接する。このため、一対のスライド部材７１は、前記コイルばね７２の付勢力に抗して移動し、各係止部７１２は離間する。
さらに、ユーザーがメインカバー６０を下側保持部材２０側に押し込むと、ロックピン２７のヘッド部２７１が係止部７１２を超え、ロックピン２７の軸部２７２が係止部７１２間に位置する。すると、スライド部材７１がコイルばね７２の付勢力で移動して各係止部７１２が近接する。このため、ロックピン２７のヘッド部２７１が係止部７１２に係止され、メインカバー６０のロック機構７０とロックピン２７とが係合状態に維持される。
【００３９】
次に、中留１０の取付位置の調節、つまり時計用バンド３の長さ調節操作を説明する。
まず、図８に示すように、腕時計１のユーザーは、下板部２１から離れる方向（図８におけるＡ１方向）にロック部材５０を回動して引き起こし、基端側カバー部５４が下板部２１に対向する状態とする。ここで、ガイドピン１２から基端側カバー部５４までの長さ寸法は、押圧部５３までの寸法よりも短い。このため、基端側カバー部５４を下板部２１に当接する位置まで移動すると、引き上げ部材４０もＺ２方向に移動し、下板部２１および底板部４１間の隙間寸法が大きくなる。下板部２１から位置決め突起４１１までの寸法は、バンド駒４の厚さ寸法よりも大きくなり、第１バンド３Ａを図８のＸ１方向およびＸ２方向に移動できる。これにより、第１バンド３Ａに対する下側保持部材２０の取付位置、つまり中留１０の取付位置を調節でき、時計用バンド３の有効長さを調節できる。
【００４０】
次に、ユーザーは、下板部２１に近づく方向（図９におけるＡ２方向）にロック部材５０を回動する。ロック部材５０の回動に伴い、押圧部５３が下板部２１に当接する。これにより、ガイド溝２４内に挿通されるガイドピン１２が下板部２１から離れるＺ１方向に移動し、ガイドピン１２が取り付けられた引き上げ部材４０もＺ１方向に移動する。このため、引き上げ部材４０の底板部４１は、下板部２１に近づき、引き上げ部材４０の底板部４１と下板部２１との間の寸法は、バンド駒４の厚さ寸法と同程度となる。この際、底板部４１の位置決め突起４１１は各バンド駒４間に入り、これにより第１バンド３Ａは底板部４１および下板部２１間で保持されて移動不能となる。
そして、図１０に示すように、ロック部材５０を下板部２１に当接するロック位置まで回動することで、第１バンド３Ａが底板部４１および下板部２１間に位置決めされる。
すなわち、ロック部材５０を回動することで、引き上げ部材４０の底板部４１を、下板部２１に近づけたり、離したりすることができ、腕時計１のユーザーは第１バンド３Ａに対する中留１０の取付位置を容易に調節できる。
【００４１】
次に、中留１０の施錠・解錠操作について説明する。
中留１０を施錠するには、図５，１０に示すように、ロック部材５０が下板部２１に当接して、ロックピン２７がロック部材５０の挿通穴５１１から突出した状態とする。そして、ユーザーは、上側保持部材３０およびメインカバー６０を、図１０のＡ３方向に移動して、下側保持部材２０、上側保持部材３０、メインカバー６０を折り畳む。すると、ロックピン２７は、上側保持部材３０の上板部３１の挿通穴３１１に挿通され、さらに、メインカバー６０の開口６１２に挿入される。すると、図２に示すロック機構７０のスライド部材７１が、ロックピン２７のヘッド部２７１で押し広げられる。このヘッド部２７１がスライド部材７１の係止部７１２を超えると、スライド部材７１はコイルばね７２でロックピン２７の軸部２７２側に移動し、ロックピン２７を係止する。これにより、中留１０のロック機構７０が施錠される。
【００４２】
一方、中留１０のロック機構７０を解錠するには、ユーザーが操作部７１１を押し、スライド部材７１の係止部７１２間を広げてロックピン２７との係合状態を解除する。ユーザーが操作部７１１を押したまま、メインカバー６０を持ち上げて、上側保持部材３０を下側保持部材２０から離す。すると、ロックピン２７は、メインカバー６０の開口６１２や上板部３１の挿通穴３１１から外れるため、ロック機構７０を解除できる。
これにより、下側保持部材２０および上側保持部材３０は、折り畳み状態から広がった状態になり、時計用バンド３をユーザーの手首に装着したり、外したりすることができる。
【００４３】
［実施形態の効果］
このような本実施形態によれば、下側保持部材２０と、引き上げ部材４０と、ロック部材５０とで、第１バンド３Ａに対して中留１０を位置調整可能に取り付ける機構を構成できる。また、メインカバー６０に設けたロック機構７０と下側保持部材２０のロックピン２７とで、中留１０の施錠・解錠を行う機構を構成できる。このため、各機構を１つの本体部にまとめる必要が無いため、中留１０の構造を簡単にできて部品点数を少なくでき、中留１０を軽量化できる。
【００４４】
第１バンド３Ａに対する中留１０の位置調整は、ロック部材５０を回動する操作で行うことができる。この位置調整操作は、上側保持部材３０、下側保持部材２０、メインカバー６０を折り畳んだり、開いたりする中留１０の開閉操作と独立している。このため、開閉操作時に、ロック部材５０が回動して第１バンド３Ａのロックが解除されることがなく、第１バンド３Ａに対して中留１０を確実に固定できる。
また、ロック部材５０は、板部５１が上側保持部材３０に当接した状態をロック状態に設定しているので、ロック状態を安定して維持できる。その上、中留１０の施錠時には上側保持部材３０およびメインカバー６０で覆われているので、ロック機構７０が施錠されている際に、ロック部材５０がロック解除位置に移動してしまうことがなく、ロック状態を確実に維持できる。
【００４５】
ガイドピン１２を、引き上げ部材４０の一対のガイド部４２と、下側保持部材２０の一対の側板部２２と、ロック部材５０とに挿通することで、第１バンド３Ａを位置決め固定するための機構を構成できる。このため、３つの部材にガイドピン１２を通すだけで組み立てることができ、中留１０の組立作業性を向上できる。
【００４６】
ロック部材５０に設けた板部５１をロック位置まで回動することで、押圧部５３を下板部２１に当接させることができる。これにより、ガイドピン１２および引き上げ部材４０を引き上げ方向（Ｚ１方向）に移動でき、引き上げ部材４０と下側保持部材２０とで第１バンド３Ａを挟んで位置決め固定できる。このため、ロック部材５０の構成も簡易にでき、製造コストも低減できる。さらに、ロック部材５０の板部５１を、ロック位置およびロック解除位置間で回動するだけで、第１バンド３Ａを位置決め固定したり、位置調整可能にでき、バンド有効長さの調節操作性を向上できる。
【００４７】
引き上げ部材４０の底板部４１に位置決め突起４１１が形成されているので、引き上げ部材４０と下側保持部材２０とで第１バンド３Ａを挟んだ際に、位置決め突起４１１をバンド駒４間に配置できる。このため、中留１０に対する第１バンド３Ａの移動を確実に制限できる。
引き上げ部材４０のガイド部４２に案内突起４２１が形成されているので、側板部２２のガイド溝２４内に案内突起４２１およびガイドピン１２を配置できる。このため、ロック部材５０を回動させた際に、引き上げ部材４０が連動して回動することを防止でき、引き上げ部材４０を引き上げ方向（Ｚ１方向）および引き下げ方向（Ｚ２方向）にスムーズに移動できる。
【００４８】
下側保持部材２０に貫通穴２５を形成し、ロック部材５０が下側保持部材２０に重なった際に突起部５６が貫通穴２５の一部を覆うようにしたので、ロック部材５０の突起部５６が貫通穴２５に露出する。このため、貫通穴２５に指や爪を差し込んだり、貫通穴２５からピンなどを差し込んで突起部５６の裏面側を押すことで、突起部５６を容易に引き起こすことができ、ロック部材５０を容易に回動操作できる。特に、貫通穴２５は、下側保持部材２０の先端部２０Ｂ側に形成され、ロック部材５０の突起部５６もロック部材５０の回動軸であるガイドピン１２から離れた位置に形成されているので、突起部５６を引き起こす際に小さな力でロック部材５０を回動できる。さらに、突起部５６は、基端部２０Ａ側のロックピン２７から離れた位置に形成されているため、ロック部材５０を回動操作する際に、指がロックピン２７にぶつかることも防止できる。
【００４９】
上側保持部材３０にビード３５を形成したので、上板部３１の剛性を向上できる。また、上側保持部材３０に突起部５６が配置可能な凹部３５１を形成したので、下側保持部材２０および上側保持部材３０が回動により重なった際に、隙間が生じることを防止でき、中留１０の剛性を向上できる。
【００５０】
中留１０の解錠操作は、操作部７１１を押し込んだ状態のまま、メインカバー６０を下側保持部材２０から引き離すだけでよく、簡単な操作で解錠できる。さらに、中留１０を広げた際に、第１バンド３Ａ、下側保持部材２０、上側保持部材３０、メインカバー６０、第２バンド３Ｂが連続して並ぶため、時計用バンド３の開放長さを大きくでき、腕時計１の腕への装着や取り外しを容易に行うことができる。
また、中留１０の施錠操作は、メインカバー６０を下側保持部材２０側に移動し、ロックピン２７にロック機構７０を押し込んでロックするだけでよいため、簡単な操作で施錠できる。
【００５１】
［他の実施形態］
なお、本発明は前述の実施形態に限定されるものではなく、本発明の目的を達成できる範囲での変形、改良等は本発明に含まれるものである。
本発明の中留は、時計バンドに限らず、例えば装身具にも利用できる。ここで、装身具としては、ブレスレットやネックレス、ベルトやバンド、首に巻くチョーカー、衣服の留め具などが挙げられる。このほか、本発明の中留は、鞄、袋物、履物などの各種物品にも適用できる。
【００５２】
上側保持部材３０には、ビード３５を形成しなくてもよく、下側保持部材２０には貫通穴２５を形成しなくてもよい。ロック機構７０も前記実施形態のものに限定されない。すなわち、下側保持部材２０、上側保持部材３０、引き上げ部材４０、ロック部材５０、メインカバー６０、ロック機構７０の構成は、前記実施形態のものに限定されず、本発明の目的を達成できる範囲で変更してもよい。
【符号の説明】
【００５３】
１…腕時計、２…外装ケース、３…時計用バンド、３Ａ…第１バンド、３Ｂ…第２バンド、４…バンド駒、１０…中留、１２…ガイドピン、２０…下側保持部材、２１…下板部、２２…側板部、２４…ガイド溝、２５…貫通穴、２５１…拡大穴部、２７…ロックピン、３０…上側保持部材、３１…上板部、３１１…挿通穴、３２…連結板部、３５…ビード、３５１…凹部、３５２…凸部、４０…引き上げ部材、４１…底板部、４１１…位置決め突起、４２…ガイド部、４２１…案内突起、４２２…保持孔、５０…ロック部材、５１…操作部である板部、５１１…挿通穴、５２…側壁部、５３…押圧部、５４…基端側カバー部、５５…表面側カバー部、５６…突起部、６０…メインカバー、６１…プレート、６１２…開口、６２…カバー、７０…ロック機構、７１…スライド部材、７２…コイルばね、７１１…操作部、７１２…係止部。
【図１】
2017131624.tif 000003
【図２】
2017131624.tif 000004
【図３】
2017131624.tif 000005
【図４】
2017131624.tif 000006
【図５】
2017131624.tif 000007
【図６】
2017131624.tif 000008
【図７】
2017131624.tif 000009
【図８】
2017131624.tif 000010
【図９】
2017131624.tif 000011
【図１０】
2017131624.tif 000012